(57)【要約】      （修正有）【課題】カレンダーの前面に装着され、各日にちの表示枠よりも横幅の大きな収容物を、折り畳まずにポケットに収容することができるポケットシートを提供する。【解決手段】ポケットシート１０のシート本体１１の前面に配されたポケット１２１〜１２７は、その右端が、対応するカレンダーの各日にちの数字が描かれる枠領域（表示枠３）が横方向に占める領域ｒ１〜ｒ７から右側に距離Ｒ１〜Ｒ７だけはみ出しており、距離Ｒ１〜Ｒ７の分だけ、ポケット１２１〜１２７の幅Ｗ１〜Ｗ７が、領域ｒ１〜ｒ７の幅よりも大きい。【選択図】図４
0003228170.tif 000002
【実用新案登録請求の範囲】
【請求項１】
カレンダーの、前面を覆うシート本体に複数のポケットを設けてなる透明のポケットシートであって、
前記カレンダーは、各日にちを示す数字が描かれるための表示枠が一週分、横方向に一列に並べられ、二週目以降の表示枠の列が、一段ずつ下方にずらして配されてなる月別表示のカレンダーであり、
前記ポケットは、前記カレンダーの前記表示枠に対応して一つずつ設けられると共に、各ポケットの横幅が、前記表示枠の横幅より大きく、横方向に隣接するポケットと一部重なった状態で前記シート本体に貼着されている
ことを特徴とするポケットシート。
【請求項２】
前記各ポケットの横幅は、少なくとも横幅７ｃｍの分包袋が横方向に入れられる大きさである
ことを特徴とする請求項１に記載のポケットシート。
【請求項３】
前記各ポケットの左端が、対応する前記表示枠の左端と一致する
ことを特徴とする請求項１または２に記載のポケットシート。
【請求項４】
前記シート本体の、前記カレンダーの前記表示枠に重ならない部分に１または複数の予備のポケットが設けられている
ことを特徴とする請求項１から３までのいずれか１項に記載のポケットシート。
【請求項５】
前記予備のポケットは、健康保険証、薬手帳、診察券の少なくとも一つを保持できる大きさである
ことを特徴とする請求項４に記載のポケットシート。
【請求項６】
前記ポケットシートは、その裏面に袋状部分を有し、当該袋状部分にカレンダーの全部または一部を挿入させて、前記カレンダーにポケットシートが装着される構造になっている
ことを特徴とする請求項１から５までのいずれか１項に記載のポケットシート。
【請求項７】
前記ポケットシートの、前記カレンダーの前記表示枠に重ならない部分に蛍光部が設けられている
ことを特徴とする請求項１から６までのいずれか１項に記載のポケットシート。
【請求項８】
カレンダーと、請求項１から７までのいずれか１項に記載のポケットシートとからなるカレンダーセット。
【請求項９】
前記ポケットに分包袋が保持されたときに、カレンダーの前記日にちの数字の表示と、前記ポケットに保持された分包袋が重ならないように、
前記カレンダーにおける、各日にちを示す数字の大きさ、および／または、当該数字の前記表示枠内における前記ポケットに対する相対的位置が設定されている
ことを特徴とする請求項８に記載のカレンダーセット。
【考案の詳細な説明】
【技術分野】
【０００１】
本開示は、カレンダーの前面に装着されるポケットシートおよび当該ポケットシートとカレンダーとを組み合わせてなるカレンダーセットに関する。
【背景技術】
【０００２】
一般に、風邪や糖尿病等の病気を患った患者が、医療機関で診察を受けると、診察の結果に応じて処方箋が作成され、当該処方箋に従って、患者が服用すべき薬を取得する。
【０００３】
患者が服用する薬は、例えば、毎日服用するものや、１週間に１回だけ服用するものなど、病気の種類や症状の重さによって決められており、薬の種類が増えると、その分、薬の管理も煩雑になりがちである。
【０００４】
薬の保管を、薬の用法や用量等が記載された薬袋で行った場合、毎回、決められた日に、決められた薬を服用することは容易ではなく、薬の服用を失念してしまうおそれや、場合によっては１日に同じ薬を２回服用するおそれすらある。
【０００５】
このような薬の服用上の不都合を回避するため、例えば、特許文献１では、カレンダーの前面に、薬を収容するポケットを複数設けた透明なカバー体を装着するようにしている。各ポケットは、カレンダーの各日にちの数字が描かれる枠領域（以下、「表示枠」という。）に対応して一つずつ取り付けられているため、予め、服用する薬を該当する日にちのポケットに入れておけば、薬の服用忘れや重ねて服用することを防ぐことができる。
【先行技術文献】
【特許文献】
【０００６】
【特許文献１】特開２０１９−５８６１３号公報
【考案の概要】
【考案が解決しようとする課題】
【０００７】
ところが、特に、粉末状の薬などは、薬局により予め１回分の服用量だけ分包されている。一つの分包袋の幅は決まっており、大きいものでは横幅が、約７ｃｍもある。
【０００８】
一方、特許文献１では、カバー体のポケットは、カレンダーの各日にちの表示枠とほぼ同じ横幅であり、ポケットに収容することができる分包袋の横幅が、カレンダーの各日にちの表示枠の横幅程度に制限されている。
【０００９】
このため、ポケットに入れようとする分包袋の横幅が、カレンダーの各日にちの表示枠よりも横幅の大きい場合、分包袋を折り畳んだ状態でポケットに入れざるを得ず、この折り畳み作業が手間であるとともに、ポケット内で分包袋がかさばるため、ポケットの収容性の低下を免れない。また、各日にちの表示枠が分包袋の横幅よりも大きなカレンダーを別途作成し、ポケットの横幅を大きくすることも考えられるが、汎用のカレンダーを用いることができず、実用的ではない。
【００１０】
このような課題は、月別表示のカレンダーの各日にちの表示枠に対応して設けられたポケットに、分包袋を収容する場合に限らず、例えば、ポケットに、分包袋以外の物を収容する場合にも生じ得る。
【００１１】
本開示は、上記の問題点に鑑みてなされたものであって、カレンダーの各日にちの表示枠よりも横幅の大きな収容物を、折り畳まずにポケットに収容することができるポケットシートおよび当該ポケットシートとカレンダーとからなるカレンダーセットを提供することを目的としている。
【課題を解決するための手段】
【００１２】
上記目的を達成するために本開示は、カレンダーの、前面を覆うシート本体に複数のポケットを設けてなる透明のポケットシートであって、前記カレンダーは、各日にちを示す数字が描かれるための表示枠が一週分、横方向に一列に並べられ、二週目以降の表示枠の列が、一段ずつ下方にずらして配されてなる月別表示のカレンダーであり、前記ポケットは、前記カレンダーの前記表示枠に対応して一つずつ設けられると共に、各ポケットの横幅が、前記表示枠の横幅より大きく、横方向に隣接するポケットと一部重なった状態で前記シート本体に貼着されていることを特徴としている。
【００１３】
また、前記各ポケットの横幅は、少なくとも横幅７ｃｍの分包袋が横方向に入れられる大きさであるとしてもよい。
【００１４】
また、前記各ポケットの左端が、対応する前記表示枠の左端と一致するとしてもよい。
【００１５】
また、前記シート本体の、前記カレンダーの前記表示枠に重ならない部分に１または複数の予備のポケットが設けられているとしてもよい。
【００１６】
さらに、前記予備のポケットは、健康保険証、薬手帳、診察券の少なくとも一つを保持できる大きさであるとしてもよい。
【００１７】
また、前記ポケットシートは、その裏面に袋状部分を有し、当該袋状部分にカレンダーの全部または一部を挿入させて、前記カレンダーにポケットシートが装着される構造になっているとしてもよい。
【００１８】
また、前記ポケットシートの、前記カレンダーの前記表示枠に重ならない部分に蛍光部が設けられているとしてもよい。
【００１９】
また、本開示にかかるカレンダーセットは、カレンダーと、上記のポケットシートとからなることを特徴としている。
【００２０】
また、前記ポケットに分包袋が保持されたときに、カレンダーの前記日にちの数字の表示と、前記ポケットに保持された分包袋が重ならないように、前記カレンダーにおける、各日にちを示す数字の大きさ、および／または、当該数字の前記表示枠内における前記ポケットに対する相対的位置が設定されているとしてもよい。
【考案の効果】
【００２１】
上記の構成により、一つのポケットの横幅を大きくすることができ、カレンダーの各日にちの表示枠の横幅よりも大きな収容物を、折り畳むことなくポケットに入れることができるので、収容物を折り畳む必要がなくなるとともに、ポケット内でかさばることがなくなり収容性の低下を防ぐことができる。
【図面の簡単な説明】
【００２２】
【図１】ポケットシートの構成を示す斜視図である。
【図２】カレンダーに装着されたポケットシートの正面図である。
【図３】（ａ）、（ｂ）は、シート本体に貼着する前のポケットの形状を示す斜視図である。
【図４】ポケットをシート本体に貼着した状態を示す平面図である。
【図５】変形例に係るポケットシートの正面図である。
【図６】別の変形例に係るポケットシートにカレンダーを装着する様子を示す斜視図である。
【図７】さらに別の変形例に係るポケットシートの斜視図である。
【考案を実施するための形態】
【００２３】
［１］ポケットシートの構成
図１は、ポケットシート１０の構成を示す斜視図である。
【００２４】
同図に示すように、カレンダー１は、例えば紙製であり、各日にちを示すための表示枠３が横方向に一週間分並べられるとともに、二週目以降の表示枠３が、週単位で下にずらして並べられた横７列×縦６行の月別の壁掛けカレンダーである。なお、図１では、各表示枠３は、枠線で囲まれているが、各日にちの表示枠が区切られていることが分かればよく、必ずしも枠線が表示されている必要はない。
【００２５】
ポケットシート１０は、シート本体１１の前面に、複数の袋状のポケットからなるポケット群１２を配してなる。シート本体１１およびポケット群１２は、共に樹脂などの透明でかつ可撓性の材料から形成されている。
【００２６】
シート本体１１は、カレンダー１と横幅がほぼ同じで、縦の長さがカレンダー１よりも長くなっており、ポケット群１２は、横方向に１週間分の７個のポケット１２１〜１２７を配列してなるポケット列１２０を、縦方向に６段並べてなる。
【００２７】
各段におけるポケット列１２０のポケット１２１〜１２７は、分包袋３０を入れるものであり、ポケットシート１０がカレンダー１に装着されたときに、カレンダー１の日にちの各表示枠３と一対一に対応する位置に配されている（図２参照）。なお、ポケット１２１〜１２７の詳細については後述する。
【００２８】
ポケット群１２の下方には、予備ポケット１３が設けられており、これらのポケットは、健康保険証、診察券、薬手帳等、医療機関への受診の際に携帯するものを入れることができる大きさに形成されており、ポケットシート１０がカレンダー１に装着されたときに、予備ポケット１３に保持された上記携帯品によって、カレンダー１に描かれた文字等を遮らないように、シート本体１１の下端寄りの位置に貼着されている（図２）。
【００２９】
このように、予備ポケット１３に、健康保険証、診察券、薬手帳等の携帯品をまとめて保管しておくことができるので、医療機関で受診するために上記の携帯品を準備する際、ポケットシート１０の予備ポケット１３に取りに行くだけで揃うので、上記の携帯品をそれぞれの保管場所に保管する場合に比べて利便性が良い。
【００３０】
なお、予備ポケット１３のシート本体１１への貼着は、透明な接着剤によって行われているが、この方法に限らず、例えば、透明な両面テープや熱圧着によっても行うことができる。
【００３１】
ポケットシート１０のカレンダー１への装着は、例えば、カレンダー１の上端縁１ａ（図１）に、ポケットシート１０の上端縁１１ａを合わせた上で、これらの上部をクリップ等で挟むことによって行われる。ポケットシート１０が、上述のように可撓性を有しているので、ポケットシート１０のカレンダー１への装着後においても、ポケットシート１０を下端から捲り上げた状態で、カレンダー１の各表示枠３に日々の予定等を書き込むことができる。
［２］ポケット１２１〜１２７の構成
図２は、ポケットシート１０をカレンダー１の前面に装着したときの正面図であり、図３（ａ）、（ｂ）は、それぞれシート本体１１に貼着する前のポケット１２１、１２７の形状を示す図である。
【００３２】
図３（ａ）に示すように、ポケット１２１は、背面部１２１ａ、１２１ｂと前面部１２１ｃと底部１２１ｄを有している。ポケット１２２〜１２６も同様の形状をしている。また、ポケット１２７は、背面部１２７ａ、前面部１２７ｃ、底部１２７ｄからなる。
【００３３】
図４は、これらのポケット１２１〜１２７をシート本体１１に貼着した状態を示す平面図であり、カレンダー１の１週間分の各表示枠３が横方向に占める領域を、ｒ１〜ｒ７で示している。
【００３４】
同図に示すように、ポケット１２１は、その左端が、対応するカレンダー１の表示枠３の領域ｒ１の左端と一致し、右端が、領域ｒ１から長さＲ１だけはみ出しており、同様に、ポケット１２２〜１２７は、その左端が、対応するカレンダー１の表示枠３の領域ｒ２〜ｒ７の左端と一致し、右端が、領域ｒ２〜ｒ７から距離Ｒ２〜Ｒ７だけはみ出している。
【００３５】
ポケット１２１は、背面部のうち、左側の背面部１２１ａがシート本体１１に貼着されるとともに、右側の背面部１２１ｂが、右隣のポケット１２２の前面部１２２ｃに貼着されている。
【００３６】
このようにポケットが、シート本体１１および右隣のポケットの前面部に貼着されることは、ポケット１２２〜１２６についても同様であり、これにより、ポケット列１２０におけるポケット１２１〜１２７は、隣接するポケットと一部重なった状態になっている。なお、上記では、１列目から６列目のポケット１２１〜１２６がシートおよび右隣のポケットの前面部に貼着されていたが、シート本体１１への貼着だけでポケット１２１〜１２６のシート本体１１への保持力が十分確保できれば、右隣のポケットの前面部へは貼着しない構成としてもよい。
【００３７】
右端の領域ｒ７に対応する７列目のポケット１２７については、右端が領域ｒ７から距離Ｒ７だけはみ出すように、背面部１２７ａ全体が、シート本体１１に貼着されている。なお、ポケット１２１〜１２７の貼着は、予備ポケット１３のシート本体１１への貼着と同様に、透明な接着剤や透明な両面テープによって行われている。
【００３８】
上記の、ポケット１２１〜１２７の右端の、領域ｒ１〜ｒ７からのはみ出しにより、ポケット１２１〜１２７の幅Ｗ１〜Ｗ７は、右端がはみ出す距離Ｒ１〜Ｒ７の分だけ、領域ｒ１〜ｒ７の幅よりも大きい。
【００３９】
距離Ｒ１〜Ｒ７の大きさは、ポケット１２１〜１２７の幅Ｗ１〜Ｗ７が横幅７ｃｍの分包袋３０を折り畳まずに入れることができる程度であればよい。本実施の形態では、ポケット１２１〜１２７の幅Ｗ１〜Ｗ７は、７．５ｃｍ程度にしている。
【００４０】
これにより、カレンダー１の各日にちの表示枠３よりも横幅の大きな分包袋を、折り畳まずにポケット１２１〜１２７に入れることができる。
【００４１】
また、カレンダーは、図１、図２のカレンダー１のように、各日にちの数字が表示枠３の左端に近い位置に印字されていることが多く、各日にちの数字と、ポケットシート１０の各ポケットとを対応が分かりやすくするために、各ポケットの左端が、領域ｒ１〜ｒ７からはみ出さずに、各表示枠３の左端と一致しているので、日にちとポケットとの対応関係が明確であり、異なる日にちの薬を取り間違えることがない。
【００４２】
もっとも、ポケット１２１〜１２７の幅Ｗ１〜Ｗ７をさらに大きくする必要があれば、ポケットの左端を、各表示枠３の左端よりも多少はみ出した構成とすることもできる。
【００４３】
また、ポケットシート１０は、透明であるので、図２に示すように、カレンダー１に描かれた各日にちを示す数字や文字、ポケット１２１〜１２７内の分包袋３０が、ポケットシート１０を通して視認することができるようになっている。
【００４４】
このため、ポケット１２１〜１２７に、予めその日に服用すべき薬の分包袋３０を入れておくことにより、日常的にカレンダー１で日付や予定を確認すると同時に、その日に服用すべき薬をも確認することができ、薬の服用を失念することを抑制することができる。
［３］変形例
以下、実施の形態に基づいて説明してきたが、上述の構成に限定されないのは勿論であり、以下のような変形例が考えられる。
（３−１）図５は、夜間等におけるポケットシートの視認性を向上させるために、ポケットシート１００の外周縁１０１に蛍光塗料１０１ａ（蛍光部）が塗布されたポケットシート１００の正面図を示す。
【００４５】
蛍光塗料１０１ａは、蛍光灯等の光のエネルギーを吸収して蓄え、消灯され、周りが暗くなると、蓄えた光を放出して発光するので、この蛍光塗料１０１ａの発光により、夜間等のカレンダーが掛けられた部屋内が暗い状態においても、カレンダー１の位置を確認しやすくなっている。
【００４６】
なお、図５では、蛍光塗料１０１ａが、ポケットシート１００の外周縁１０１の全体に塗布されているが、蛍光塗料１０１ａによってカレンダー１の位置を確認できればよく、外周縁１０１の一部、例えば、ポケットシートの四隅にのみ蛍光塗料１０１ａが塗布されていてもよい。また、蛍光部は、蛍光塗料に限られず、蛍光テープであってもよい。
（３−２）上記の実施の形態では、ポケットシート１０がカレンダー１の前面に装着される構成例を説明したが、これに限られない。例えば、カレンダー１が、ポケットシートの裏面に設けられた袋内に保持されることによってポケットシートがカレンダーに装着される構成をとることもできる。
【００４７】
図６は、本変形例に係るポケットシート２００を説明するための斜視図である。
【００４８】
同図に示すように、ポケットシート２００は、シート本体２１１の裏面の、破線で囲まれた部分２１１ａに、下端部２１５が閉じられるとともに上端部に開放部２１６を有する袋体２１４（袋状部分）が貼着されている。
【００４９】
袋体２１４は、カレンダー１の横幅よりも僅かに大きく、その縦の長さＬ２がカレンダー１の縦の長さＬ１より若干長くなるように形成されている。一方、シート本体１１の当該開放部２１６に相当する位置には、切り込み部２１９が形成されており、ユーザーが、この切り込み部２１９からカレンダー１を挿入し、開放部２１６を介して袋体２１４内に収納できる構成となっている。
【００５０】
カレンダー１は、袋体２１４内で保持された状態で、各ポケット１２１〜１２７とカレンダー１の各表示枠３との対応関係が維持されるように、袋体２１４の寸法やシート本体２１１の裏面への貼着位置が決定されている。
【００５１】
このようにカレンダー１が袋体２１４に収納されて保持されることにより、カレンダー１のポケットシート２００に対する位置ずれを抑えることができ、カレンダー１の各表示枠３と、対応するポケットシート２００の各ポケットの位置とがずれることによる薬の飲み間違い等を防止することができる。
【００５２】
また、シート本体２１１の、切り込み部２１９によって上下に分けられた部分２１８には、図４のポケットシート１００の外周縁１０１に塗布された蛍光塗料１０１ａと同じものが塗布されており、この蛍光塗料によって、周囲が暗い状態でも、切り込み部２１９の位置を確認しやすくなり、これにより、カレンダー１を袋体２１４内に収納しやすくなっている。もっとも、外周縁１０１に塗布されるものは、切り込み部２１９の位置を確認しやすいものであればよく、周囲が明るい状態でカレンダー１を袋体に収納する場合は、非蛍光の塗料等を用いることもできる。
【００５３】
なお、本変形例に係るポケットシート２００の袋体２１４に収納されたカレンダー１の、壁等への固定は、例えば、壁に打ち込まれた釘に、ポケットシート２００のシート本体２１１の上部に設けられた２つの係止穴２１１ｂが引っ掛けられることによって行われる。
【００５４】
また、上記の変形例では、袋状部分が、下端２１５が閉じられ、上端部に開放部２１６を有する袋体２１４である構成例を説明したが、これに限られず、下端が開放され、上端が閉じられた袋を袋状部分とすることもできる。この構成では、カレンダー１は、袋の下端から袋内へ差し込まれ、その後、例えば、画鋲で、袋とともにカレンダーを壁等に固定する方法をとることにより、カレンダー１を袋内で保持するようにしてもよい。
【００５５】
さらに、上記のように袋状部分が、１つの部材（袋体２１４）からなる構成例に限られず、袋２１４から正面部２１７を取り除いて残った背面部２１４ｂのような１層のシート状の部材の、上辺、両側辺および底辺の四辺が、シート本体２１１の裏面に貼着され、袋状部材が、シート状の部材およびシート本体２１１からなる構成としてもよい。
【００５６】
また、カレンダー１が十分保持されるのであれば、袋体２１４がカレンダー１の全体ではなく、その一部を収納する大きさであっても構わない。
（３―３）上記の実施の形態では、ポケットが、袋状のポケット１２１〜１２７からなる構成例を説明したが、これに限られず、ポケットが、１層のシート状の部材と、シート本体３１１とから構成される構成例をとることもできる。
【００５７】
図７は、本変形例に係るポケットシート３００の斜視図である。
【００５８】
同図に示すように、ポケットシート３００は、基本的に図１のポケットシート１０と同じ構成であり、ポケット列３１２０のポケット３１２１〜３１２７、予備ポケット３１３が、ポケット前面体３２１〜３２７および予備ポケット前面体３３１と、シート本体３１１とから構成されている点で異なっている。
【００５９】
ポケット前面体３２１〜３２７は、それぞれ１層のシート状であり、１列目から６列目までのポケット前面体３２１〜３２６は、その左端縁３２１ａ〜３２６ａおよび下側縁３２１ｃ〜３２６ｃのうち、ポケットシート３１１に対応する部分が、シート本体３１１に貼着されるとともに、下側縁３２１ｃ〜３２６ｃのうち、右隣のポケット前面体３２２〜３２７に対応する部分および右端縁３２１ｂ〜３２６ｂが、右隣のポケット前面体３２２〜３２７に貼着されている。また、７列目のシート３２７は、左端縁３２７ａ、下側縁３２７ｃ、および右端縁３２７ｂがシート本体３１１に貼着されている。
【００６０】
このように、ポケット前面体３２１〜３２７が、ポケット３１２１〜３１２７の前面部分となり、シート本体３１１が、ポケット３１２１〜３１２７の背面部分を兼ねている。
【００６１】
これにより、一層の前面体３２１〜３２７で、ポケットを形成することができるので、ポケットシート３００全体の材料が少なくて済み、コスト面で有利である。また、ポケット３１２１〜３１２７を、カレンダー１の各日にちの表示枠３の横幅よりも大きくできることは、上記実施の形態のポケット１２１〜１２７と同様であり、ポケット３１２１〜３１２７の収容性の向上が図られる。
【００６２】
また、本変形例では、予備ポケット３１３についても、１層のシート状の予備ポケット前面体３３１と、シート本体３１１とから構成されており、シート本体３３１の左端縁３３１ａ、下側縁３３１ｃ、および右端縁３３１ｂが、シート本体３１１に貼着されている。
（３−４）上記の実施の形態では、シート本体１１に貼着された予備ポケット１３が３個である構成例を説明したが、これに限らず、予備ポケット１３は、１個以上あればよく、１個の予備ポケット１３に、健康保険証、診察券、薬手帳等のうちの２つ以上を入れる場合は、予備ポケット１３の大きさを、これらが入る程度の大きさにしておけばよい。
【００６３】
また、上記の実施の形態では、予備ポケット１３が、シート本体１１の下端寄りに配される構成例を説明したが、これに限らず、ポケットシートがカレンダーに装着されたときに、上記の携帯品によって、カレンダーの表示枠３を遮らない位置に配されていればよく、例えば、ポケットシートの上端寄り、左端寄り、右端寄りに配される構成をとることもできる。
（３−５）上記の実施の形態では、図２に示すように、ポケット１２１〜１２７に分包袋薬３０を入れても、カレンダーの各日にちを示す数字と重ならないようになっているので、カレンダーの日にちが見やすくなっており、このようにして、各日にちを示す数字の大きさ、および／または各日にちを示す数字の、各表示枠３内におけるポケットに対する相対的位置を設定することによって調整することができる。
（３−６）各ポケットに収容できるのは、分包袋３０に限られず、同程度のサイズの市販薬や、カード等の小物を収容することもできる。
【００６４】
さらに、カレンダーは、壁掛けタイプに限られず、例えば、卓上タイプであってもよい。
【産業上の利用可能性】
【００６５】
本開示は、カレンダーの前面を覆うようにして装着されるポケットシートに適用することができる。
【符号の説明】
【００６６】
１      カレンダー
３      表示枠
１０      ポケットシート
１１      シート本体
１２      ポケット群
１３、３１３      予備ポケット
１０１ａ      蛍光塗料
１２０、３１２０    ポケット列
１２１〜１２７、３１２１〜３１２７      ポケット
２１４      袋体（袋状部分）
【図１】
0003228170.tif 000003
【図２】
0003228170.tif 000004
【図３】
0003228170.tif 000005
【図４】
0003228170.tif 000006
【図５】
0003228170.tif 000007
【図６】
0003228170.tif 000008
【図７】
0003228170.tif 000009